(57)【要約】      （修正有）【課題】頭部を載置する部分にしわを生じさせることなく、無段階的に高さを調節することができる枕を提供する。【解決手段】枕は、横長直方体状を成す袋体１１に充填物１２が充填されて成り、頭部が載置される頭部座部１０ａと頭部が載置されない側縁部１０ｂとが袋体１１の長手方向に隣接して形成される。頭部座部１０ａと側縁部１０ｂとの境目に袋体１１の幅を狭める括れ部１０ｃが形成され、充填物１２が括れ部１０ｃを介して頭部座部１０ａと側縁部１０ｂとの間で移動可能に構成され、括れ部１０ｃに括れ部１０ｃを開放可能に閉止する緊締紐１４が設けられる。袋体１１に充填物１２を充填する充填口１１ｅが側縁部１０ｂに形成され、充填口１１ｅを開放可能に閉止するファスナ１３が充填口１１ｅに設けられ、側縁部１０ｂが頭部座部１０ａの片側に設けられ、括れ部１０ｃの内周が２０〜６０ｃｍである。【選択図】図１
0003163857.tif 000002
【実用新案登録請求の範囲】
【請求項１】
横長直方体状を成す袋体(11)に充填物(12)が充填されて成り、頭部が載置される頭部座部(10a)と頭部が載置されない側縁部(10b)とが前記袋体(11)の長手方向に隣接して形成された枕において、
前記頭部座部(10a)と前記側縁部(10b)との境目に前記袋体(11)の幅を狭める括れ部(10c)が形成され、
前記充填物(12)が前記括れ部(10c)を介して前記頭部座部(10a)と前記側縁部(10b)との間で移動可能に構成され、
前記括れ部(10c)に前記括れ部(10c)を開放可能に閉止する緊締紐(14)が設けられた
ことを特徴とする枕。
【請求項２】
袋体(11)に充填物(12)を充填する充填口(11e)が前記側縁部(10b)に形成され、前記充填口(11e)を開放可能に閉止するファスナ(13)が前記充填口(11e)に設けられた請求項１記載の枕。
【請求項３】
側縁部(10b)が頭部座部(10a)の片側に設けられ、括れ部(10c)の内周が２０〜６０ｃｍである請求項２記載の枕。
【考案の詳細な説明】
【技術分野】
【０００１】
本考案は、高さを調節して就寝時に安眠を促すことができる枕に関するものである。
【背景技術】
【０００２】
従来、人は十分な睡眠をとって翌日の活動に備える必要がある。このように大切な睡眠を保持するために寝具の果たす役割は大きく、ことに枕は重要なものといえる。即ち、人は使い慣れていない枕を使用すると、眠りたいのに眠れない、一晩中眠りが浅く、日中すっきりしない等の症状を呈するものである。このような症状の原因は枕の高さと硬さに起因することが多いことが知られている。そして、一般的に、人々は自己に適合した高さと硬さを有する枕を愛用して適度の睡眠を取るようにしている。
【０００３】
しかし、旅行中でホテルや他人の家などに宿泊した場合は、自己の慣れ親しんだ高さと硬さがある枕を使用できない場合がある。そして、枕の高さと硬さは個人差があり、時として、ホテル等に備えられている枕等を使用すると、適度の睡眠がとれず、翌日は睡魔に襲われてその翌日の活動に支障を来す場合もある。
【０００４】
このような不具合を解消するために、図９に示すように、中央部に睡眠を取ろうとする人の頭部が載置される頭部座部２と、この頭部座部２に接してその頭部が載置されない側縁部３とを枕１に形成し、その頭部座部２と側縁部３との境目に緊締紐４を取付けた枕１が提案されている（例えば、特許文献１参照。)。この枕１にあっては、図１０に示すように、側縁部３に包蔵されている充填物を頭部座部２に寄せて緊締紐４を結ぶことにより、その頭部座部２の高さと硬さを調節し得るとしている。そして、緊締紐４を複数設けることにより、枕１の高さを段階的に調節できるとしている。
【先行技術文献】
【特許文献】
【０００５】
【特許文献１】特開２００２−６５４３２号公報（段落番号「００１６」、「００１７」）
【考案の概要】
【考案が解決しようとする課題】
【０００６】
しかし、頭部座部２と側縁部３との境目に緊締紐４を取付けた上記従来の枕１では、図１０に示すように、横長直方体状の枕１を横断するように緊締紐４を結んでその枕１の全表面面積を減少させ、その緊締紐４で結ばれた部分における充填物の移動を遮断することから、その緊締紐４が結ばれた箇所における断面積の変化は著しく大きなものとなる。その一方、枕１の外表面を形成するカバーは伸縮しないので、そのカバーの緊締紐４が結ばれた箇所に比較的大きなしわ１ａが生じる不具合があった。そして、この緊締紐４が結ばれた箇所に生じるしわ１ａは頭部座部２における外表面にまで達し、その頭部座部２における外表面にそのしわ１ａに起因する凹凸を生じさせ、その頭部座部２に頭部を載置する人に不快感を生じさせるという未だ解決すべき課題が残存していた。
【０００７】
緊締紐４を結ぶことにより生じるしわ１ａを減少させてこの不具合を解消するするためには、枕１を横断する緊締紐４における締め付けの程度を緩めてその箇所における断面積の変化を減少させる必要があるけれども、緊締紐４における締め付けの程度を緩めると、その緩められた部分において内部における充填物が頭部座部２から側縁部３へ移動することが可能になり、その頭部座部２に頭部を載置する人が寝返り等を生じさせる毎に、その枕１における頭部座部２の高さが変動を生じさせる不具合が考えられる。
【０００８】
そして、上記特許文献１における枕１では、段階的に高さを調節するために緊締紐４を複数設けるとしているけれども、複数の緊締紐４を設けることなくその高さを無段階に調節し得ることが好ましい。
【０００９】
本考案の目的は、人の頭部を載置する部分にしわを生じさせることなく高さが調整可能な枕を提供することにある。
【００１０】
本考案の別の目的は、無段階的に高さを調節し得る枕を提供することにある。
【課題を解決するための手段】
【００１１】
本考案は、横長直方体状を成す袋体に充填物が充填されて成り、頭部が載置される頭部座部と頭部が載置されない側縁部とが袋体の長手方向に隣接して形成された枕の改良である。
【００１２】
その特徴ある構成は、頭部座部と側縁部との境目に袋体の幅を狭める括れ部が形成され、充填物が括れ部を介して頭部座部と側縁部との間で移動可能に構成され、括れ部にその括れ部を開放可能に閉止する緊締紐が設けられたところにある。
【００１３】
袋体に充填物を充填する充填口が側縁部に形成され、充填口を開放可能に閉止するファスナが充填口に設けられた枕が好ましく、側縁部が頭部座部の片側に設けられ、括れ部の内周が２０〜６０ｃｍであることが更に好ましい。
【考案の効果】
【００１４】
本考案の枕は、緊締紐により括れ部を緊縛して使用され、その緊締紐により緊縛された括れ部に若干のしわが生じるけれども、括れ部が設けられていない枕の横断面全体を緊縛する従来に比較して、生じるしわの本数及び程度は確実に減少する。このため、括れ部を緊縛する本考案における枕に生じるしわは、頭部座部の実際に頭部が載置される部分にまで達するようなことはなく、そのしわの存在によりその頭部座部に頭部を載置する人に不快感を生じさせるようなことはない。また、緊縛された緊締紐により括れ部を閉止すると、充填物が頭部座部から側縁部へ移動することはなく、その頭部座部に頭部を載置する人が寝返り等を行う毎に、その充填物の移動に伴う頭部座部の高さが変動することもない。
【００１５】
一方、頭部を載置する頭部座部の高さを変更する場合には、緊締紐による括れ部の緊縛を解いて、その開放された括れ部を介して頭部座部と側縁部との間において充填物の移動を行い、その頭部座部に充填された充填物を増減してその頭部座部における高さを所望の高さにする。その後、緊締紐によりその括れ部を再び緊縛することにより所望の高さに調整された頭部座部における充填物の移動を禁止してその高さを維持する。よって、括れ部を介して頭部座部に充填される充填物の量を調整することにより、人がその頭部を実際に載置する頭部座部の高さを無段階において調節することができる。
【００１６】
ここで、袋体に充填物を充填する充填口を側縁部に形成し、その充填口を開放可能に閉止するファスナをその充填口に設ければ、ファスナを操作してその充填口を開放することにより、その充填口から作業員の手を直接袋体の内部に進入させることが可能になり、その作業員の手により直接充填物を移動させることができる。そして、括れ部の内周が作業員の握り拳が通過可能な２０〜６０ｃｍであれば、充填物を把持した作業員の拳を括れ部に通過させることにより、充填物の移動を確実にかつ容易に行うことができる。
【図面の簡単な説明】
【００１７】
【図１】本実施形態における枕を示す斜視図である。
【図２】その枕の括れ部が緊締紐により緊締された図１に対応する斜視図である。
【図３】その頭部座部と側縁部に充填物が均一に充填された枕の側面図である。
【図４】その頭部座部に側縁部より多くの充填物が充填された枕の図３に対応する側面図である。
【図５】その袋体の分解斜視図である。
【図６】その袋体の平面図である。
【図７】その括れ部に作業員の拳が通過する状態を示す一部を切り欠いた枕の正面図である。
【図８】別の実施形態における枕を示す図１に対応する斜視図である。
【図９】従来の枕を示す斜視図である。
【図１０】その従来の枕の高さを増加させた状態を示す図９に対応する斜視図である。
【考案を実施するための形態】
【００１８】
次に本考案を実施するための最良の形態を図面に基づいて説明する。
【００１９】
図１に示すように、本考案に係る枕１０は横長直方体状を成す袋体１１に充填物１２が充填されて成り、人の頭部が載置される頭部座部１０ａと、この頭部座部１０ａに隣接して人の頭部が載置されない側縁部１０ｂとが袋体１１の長手方向に形成される。そして、この頭部座部１０ａと側縁部１０ｂとの境目には、袋体１１の幅Ｗ（図６）を狭める括れ部１０ｃが形成される。そして、この図１に示す枕１０は、側縁部１０ｂが頭部座部１０ａの片側に設けられたものを示す。
【００２０】
図５及び図６に示すように、袋体１１は横長直方体状の一対の布地１１ａを重なり合わせ、その重なり合わされた周囲を縫合することにより作られる。この実施の形態における袋体１１は、その幅Ｗが１５〜７０ｃｍの範囲であり、長さＬが２０〜１８０ｃｍの範囲に形成されたものを例示する。この袋体１１には、頭部座部１０ａにおける外表面を形成する座部表面部１１ｂと、側縁部１０ｂにおける外表面を形成する側縁表面部１１ｃの双方が形成され、それらの境目には、この袋体１１の幅Ｗを狭める切り欠き１１ｄが形成される。そして、座部表面部１１ｂの長さＬ１は側縁表面部１１ｃの長さＬ２の２倍〜４倍とされる。けれども、本考案の枕１０はこれらの寸法のものに限定されるものではない。
【００２１】
袋体１１の幅Ｗを狭める切り欠き１１ｄは、布地１１ａの幅Ｗ方向における両側から中央に向かってその布地１１ａの図６の上下における両側に形成され、それらの切り欠き１１ｄは中央に向かうに従って幅が狭くなるような略台形状のものとして形成される。布地１１ａはこれらの切り欠き１１ｄに沿って縫合され、この切り欠き１１ｄと切り欠き１１ｄの間の布地１１ａにより括れ部１０ｃ（図１）が形成される。そして、この実施の形態における括れ部１０ｃを形成する切り欠き１１ｄと切り欠き１１ｄの間の幅Ｗｄは１０〜３０ｃｍに形成され、これによりその幅Ｗｄの倍の値となる括れ部１０ｃの内周が２０〜６０ｃｍとなるように形成される。この括れ部１０ｃの内周を２０〜６０ｃｍとするのは、この袋体１１に充填物１２を充填する作業員の拳１６（図７）を括れ部１０ｃに進入可能にするためであり、この括れ部１０ｃの内周が２０ｃｍ未満であると、この括れ部１０ｃに作業員の拳１６が進入不能となり、括れ部１０ｃの内周が６０ｃｍを越えると、この括れ部１０ｃが緊締紐１４により緊縛された場合に生じるしわ１０ｄ（図２）の本数及び程度が増加するおそれがある。ここで、この括れ部１０ｃの内周の更に好ましい範囲は３０〜５０ｃｍである。
【００２２】
この袋体１１には、内部に充填物１２を充填するための充填口１１ｅが側縁部１０ｂに形成される。この充填口１１ｅは重ね合わされた一対の布地１１ａの側縁部１０ｂが形成された側の端縁であって、その充填口１１ｅには、その充填口１１ｅを開放可能に閉止するファスナ１３が設けられる。図７の拡大図に示すように、ファスナ１３は務歯１３ａが並べて取り付けられたテープ状の基材１３ｂを備え、左右対になった一組の基材１３ｂ（一方のみ示す）の間でスライダ１３ｃを動かすことで、左右の務歯１３ａ同士が順に組み合わされ又はその組み合わせが解除される構造を有する既存のものが使用される。そして、そのファスナ１３における基材１３ｂが充填口１１ｅの全幅に亘って逢着され、スライダ１３ｃの移動によりその充填口１１ｅを開閉自在に構成される。
【００２３】
充填物１２は開放された充填口１１ｅから袋体１１に充填可能なものである。図７に示すように、充填口１１ｅが側縁部１０ｂに形成されたこの実施の形態では、充填物１２はその充填口１１ｅから先ず側縁部１０ｂに充填され、括れ部１０ｃを介してその充填物１２はその側縁部１０ｂから頭部座部１０ａへと移動し、その頭部座部１０ａにも充填される。このため、この充填物１２は括れ部１０ｃを介して頭部座部１０ａと側縁部１０ｂとの間で移動可能なものであることが要件とされる。この実施の形態では、従来から枕１０用の充填物１２として用いられているそばがらを用いる場合を図示するけれども、この充填物１２は、括れ部１０ｃを介して頭部座部１０ａと側縁部１０ｂとの間で作業員の手により移動可能である限り何でも良く、例えば、小豆や、合成樹脂製の粒状のビーズ、木製のチップ材、粒状の炭素繊維等であっても良く、枕１０に柔軟な感触を与える目的であれば、パンヤ、羽毛、チップ状に裁断されたウレタン材等を充填物１２としても良い。
【００２４】
また、括れ部１０ｃには、この括れ部１０ｃを開放可能に閉止する緊締紐１４が設けられる。この緊締紐１４は中央部分が括れ部１０ｃに縫合され、図２に示すようにその緊締紐１４によりその括れ部１０ｃを緊縛することによりその括れ部１０ｃを閉止し、括れ部１０ｃを介して頭部座部１０ａと側縁部１０ｂとの間における充填物１２の移動を禁止するように構成される。その一方、図１に示すように緊締紐１４による括れ部１０ｃの緊縛を解くことによりその括れ部１０ｃは開放され、その括れ部１０ｃを介して頭部座部１０ａと側縁部１０ｂとの間における充填物１２の移動が許容されるように構成される。
【００２５】
このように構成された本考案に係る枕１０は、図２に示すようにその緊締紐１４によりその括れ部１０ｃを緊縛して、その括れ部１０ｃを閉止した状態で使用される。緊締紐１４により括れ部１０ｃが緊縛されて閉止されると、その緊締紐１４により緊縛された括れ部１０ｃに若干のしわ１０ｄが生じる。けれども、この緊締紐１４が緊縛されることにより生じる断面積の変化は、括れ部１０ｃが閉止されるものであれば足りることになり、括れ部１０ｃが設けられていない袋体１１の横断面全体を緊縛する従来に比較して、生じるしわ１０ｄの本数及び程度は確実に減少する。このため、括れ部１０ｃを緊縛する本考案における枕１０に生じるしわ１０ｄは、頭部座部１０ａに実際に頭部が載置される部分にまで達するようなことはなく、そのしわ１０ｄの存在によりその頭部座部１０ａに頭部を載置する人に不快感を生じさせるようなことはない。
【００２６】
また、この枕１０の実際の使用にあっては、緊縛された緊締紐１４により括れ部１０ｃが閉止されているので、充填物１２が頭部座部１０ａから側縁部１０ｂへ移動することはない。よって、本考案の枕１０の使用に際して、その充填物１２の移動に伴う頭部座部１０ａの高さが変動することは回避され、その頭部座部１０ａに頭部を載置する人が寝返り等を行ったとしても、頭部座部１０ａの高さが変動するはない。
【００２７】
一方、枕１０における頭部座部１０ａの高さがその枕１０を使用するの人の好みの高さではなく、その高さの変更を望む場合には、頭部座部１０ａの充填物１２を側縁部１０ｂへ、又は側縁部１０ｂの充填物１２を頭部座部１０ａに移動させてその高さを変更させる。具体的に、この充填物１２の移動に際して、図１に示すように緊締紐１４による括れ部１０ｃの緊縛は解かれ、それによりその括れ部１０ｃを開放する。そして、その開放された括れ部１０ｃを介して頭部座部１０ａと側縁部１０ｂとの間における充填物１２の移動を行う。この充填物１２の移動は袋体１１の外側から作業員がその袋体１１を変形等させつつ行うこともできるけれども、この実施の形態における枕１０では、袋体１１に充填物１２を充填する充填口１１ｅを側縁部１０ｂに形成し、その充填口１１ｅを開放可能に閉止するファスナ１３をその充填口１１ｅに設けたので、図７に示すように、ファスナ１３を操作してその充填口１１ｅを開放することにより、その充填口１１ｅから作業員の手を直接袋体１１の内部に進入させることが可能になる。このように作業員の手を直接袋体１１の内部に進入させ、その作業員の手により頭部座部１０ａから側縁部１０ｂへ、又は側縁部１０ｂから頭部座部１０ａに直接充填物１２を移動させることができる。そして、側縁部１０ｂは頭部座部１０ａよりも浅いので、その充填口１１ｅから進入させた作業員の手は比較的容易にその括れ部１０ｃに到達し、括れ部１０ｃの内周は作業員の握り拳１６が通過可能な２０〜６０ｃｍであるので、充填物１２を把持した作業員の拳１６を括れ部１０ｃに通過させることにより、括れ部１０ｃを介して頭部座部１０ａと側縁部１０ｂとの間における充填物１２の移動を確実にかつ容易に行うことができる。
【００２８】
例えば、図４に示すように、側縁部１０ｂに充填されている充填物１２の多くを頭部座部１０ａに移動させた後に、図２に示すようにその緊締紐１４によりその括れ部１０ｃを緊縛すると、実際に人がその頭部を載置する頭部座部１０ａにおける高さを高くすることができる。即ち、その括れ部１０ｃは閉止した状態で使用され、袋体１１の頭部座部１０ａの外表面における面積は変化しない。このため、その頭部座部１０ａに充填された充填物１２を増加させると、その頭部座部１０ａはその高さが増加し、同時に枕１０の硬度も硬くなることになる。
【００２９】
逆に、図３に示すように、頭部座部１０ａに充填されている充填物１２を側縁部１０ｂに移動させた状態でその括れ部１０ｃを再び緊縛すると、比較的余裕のある状態で充填物１２はその頭部座部１０ａに充填されることになり、その充填物１２は自重によって水平方向に拡散して頭部座部１０ａは扁平状となる。このため、図４に示す場合に比較して、実際に人がその頭部を載置する頭部座部１０ａの高さは減少することになる。よって、本考案の枕１０にあっては、括れ部１０ｃを介して頭部座部１０ａに充填される充填物１２の量を調整することにより、人がその頭部を実際に載置する頭部座部１０ａの高さを無段階において調節することができる。
【００３０】
即ち、本考案の枕１０は、人の頭部が載置される頭部座部１０ａとこの頭部座部１０ａに接して頭部が載置されない側縁部１０ｂとの境目に括れ部１０ｃを設け、緊締紐１４によりその括れ部１０ｃを緊縛するようにしたので、括れ部１０ｃが設けられていない袋体１１の横断面全体を緊縛する従来に比較して、生じるしわ１０ｄの本数及び程度を減少させることができる。このため、括れ部１０ｃを緊縛することにより生じるしわ１０ｄは頭部座部１０ａの頭部が載置される部分にまで達することはなく、その頭部座部１０ａに頭部を載置する人に不快感を生じさせるようなことはない。そして、側縁部１０ｂと頭部座部１０ａの間で充填物１２を移動させることにより頭部座部１０ａの高さを調節することができ、その頭部座部１０ａにおける硬さをも同時に調節することができる。その結果自己に適合した枕１０の高さと硬さを得ることができるので、快眠状態を保持することができる。また、その頭部座部１０ａの高さはそこに充填される充填物１２の量により決定されるので、括れ部１０ｃを介して頭部座部１０ａに充填される充填物１２の量を調整することにより、その高さを無段階で変化させることができ、極めて便利であるという効果を生じさせるものである。
【００３１】
なお、上述した実施の形態では、側縁部１０ｂが頭部座部１０ａの片側に設けられる場合を説明したけれども、人の頭部が載置される頭部座部１０ａにおける高さの調整範囲を拡大したい場合には、図８に示すように、側縁部１０ｂを頭部座部１０ａの両側に設け、その双方の側縁部１０ｂと中央の頭部座部１０ａとのそれぞれの境目に袋体１１の幅を狭める括れ部１０ｃをそれぞれ形成するようにしても良い。このような枕であれば、袋体１１に充填される充填物１２の量を増加させることができ、両側の側縁部１０ｂと中央の頭部座部１０ａとの間で移動可能な充填物１２が増加するので、頭部座部１０ａにおける高さの調整範囲を拡大することができる。
【００３２】
また、上述した実施の形態では、緊締紐１４の中央部分が括れ部１０ｃに縫合される場合を説明したが、この緊締紐１４は、その括れ部１０ｃを開放可能に閉止するものである限り、その中央部分以外の部分を括れ部１０ｃに縫合しても良く、縫合することなく緊締紐１４を袋体１１と別に独立させても良い。
【符号の説明】
【００３３】
１０  枕
１０ａ  頭部座部
１０ｂ  側縁部
１０ｃ  括れ部
１１  袋体
１１ｅ  充填口
１２  充填物
１３  ファスナ
１４  緊締紐
【図１】
0003163857.tif 000003
【図２】
0003163857.tif 000004
【図３】
0003163857.tif 000005
【図４】
0003163857.tif 000006
【図５】
0003163857.tif 000007
【図６】
0003163857.tif 000008
【図７】
0003163857.tif 000009
【図８】
0003163857.tif 000010
【図９】
0003163857.tif 000011
【図１０】
0003163857.tif 000012